(57)【要約】【課題】ＬＥＤを搭載したプリント基板を備えた可動盤面部品と、遊技盤側に固定された支持部材との間に跨って給電用のハーネスを配線する場合に、余長を設けることなくハーネスに対して加わるテンションを解消して経時的なダメージが加わらないようにした。【解決手段】表示部材２２と、表示部材に一体化され且つＬＥＤを搭載したプリント基板２３と、アーム部２４と、アーム部に沿って配線されたハーネス２７と、を備え、アーム部の後部材２６を中心として回動自在な可動盤面部品２０において、ハーネスが前部材２５に沿う部分は、前部材に対して浮動しないように保持され、後部材２６は後端面が開口した中空体であり、後部材の内径は、その内壁とハーネスとの間に十分なギャップが形成されるように大径であり、且つハーネスと後部材内壁とは非固定であり、後部材の後端開口部から外部へ延びるハーネス部分は略９０度湾曲して引き出されている。【選択図】図５
2009195339.tif 000002
【特許請求の範囲】
【請求項１】
表示部材と、該表示部材に一体化され且つＬＥＤを搭載したプリント基板と、該表示部材から遊技盤面と略平行に延びる前部材、及び該前部材から後方へ屈曲した後部材を有したアーム部と、前記アーム部に沿って配線されることにより前記プリント基板上の配線パターンと電気的に接続されたハーネスと、を備え、前記アーム部の後部材を中心として回動自在な可動盤面部品において、
前記前部材に沿って配線された前記ハーネス部分は、該前部材の前壁から浮動しないように保持され、
前記アーム部の後部材は後端面が開口した中空体であり、該後部材の内径は、その内壁と前記ハーネスとの間に十分なギャップが形成されるように大径であり、且つハーネスと後部材内壁とは非固定であることを特徴とする可動盤面部品。
【請求項２】
前記後部材の後端開口部から外部へ延びるハーネス部分は略９０度湾曲して引き出されて固定側の支持部材により支持されていることを特徴とする請求項１に記載の可動盤面部品。
【請求項３】
前記後部材の前部内壁には前記前部材から導入されたハーネスをガイドするスロープが形成されていることを特徴とする請求項１、又は２に記載の可動盤面部品。
【請求項４】
請求項１乃至３の何れか一項に記載の可動盤面部品を備えたことを特徴とする遊技盤。
【請求項５】
請求項４に記載の遊技盤を備えたことを特徴とするパチンコ遊技機。
【発明の詳細な説明】
【技術分野】
【０００１】
本発明は、可動盤面部品、遊技盤、及びパチンコ遊技機に関し、特に遊技盤面に配置した人形等のギミックにＬＥＤを搭載して電飾効果を発揮させるようにした可動盤面部品におけるハーネスの配線構造の改良に関するものである。
【背景技術】
【０００２】
パチンコ機、アレンジボール等の遊技機においては、従来から、単なる照明効果のみならず、遊技盤上における遊技状態の変化等の状況変化を視覚的に表現、報知したり、遊技進行上での電飾効果を図る等の目的から、盤面内、盤面部品、その他任意の部位にＬＥＤランプやフィラメント式ランプ等の光源を配置している。
また、人物、動物、アニメのキャラクター等を象った立体的な人形等の内部や背面に配置したＬＥＤからの光を人形等に設けた透光部から外部に照射することによって遊技進行上特徴的な演出効果を発揮させるようにした電飾装置も知られている。
例えば特許文献１には、遊技盤上における相対位置を可変とする可動体にＬＥＤを設け、遊技の進行状況に応じて可動体を発光させるようにした遊技機が開示されている。
特許文献２には、遊技盤面上に設けた可動部材にＬＥＤを搭載し、これらの協働により始動情報数表示を行うようにした構成が開示されている。
特許文献３には、可変翼片を有する入賞装置において、可変翼片に光透過面とＬＥＤとを設け、ＬＥＤからの光を遊技の進行状況に応じて光透過面から出射させるようにしたパチンコ遊技機の入賞装置が開示されている。
【０００３】
このようにＬＥＤを搭載したプリント基板を可動盤面部品に組み付けた場合に問題となるのが、ＬＥＤへ給電するためのハーネスにダメージを与えない配線構造を如何に構築するかである。具体的には、可動盤面部品の動作時に、可動盤面部品と遊技盤側に固定されたハーネス支持部材との間に跨って配線されるハーネスにテンションや捻りが加わってハーネスの耐久性が低下し易くなり、最悪の場合には断線する虞がある。その対策として、プリント基板と接続されたハーネスの一端部と、固定側支持部材により支持されたハーネスの他の部分との間にテンション等が加わらないようにハーネスを長めにして余長をもたせることも可能ではあるが、余長処理が煩雑であり、経時的にハーネスに延びや浮きが発生して周辺部材との間で引っかかりが発生する虞が高くなる。
理想的にはハーネスに過剰な余長をもたせずに、固定側支持部材及び可動盤面部品と密着させた状態で配線することが好ましいが、可動盤面部品の動作時にハーネスにテンションや捻りが加わることを防止することが困難であった。
【特許文献１】特開２００５−０２８０３３公報
【特許文献２】特開２００５−１１０８６２公報
【特許文献３】特開２００５−２７０２７４公報
【発明の開示】
【発明が解決しようとする課題】
【０００４】
以上のようにＬＥＤを搭載した可動盤面部品と、固定側の支持部材との間に跨って給電用のハーネスを配線する場合には、処理に困る程度の過剰な余長を設けずに且つハーネスに対して加わるテンション、捻り等によって経時的なダメージが加わらないように構成することが極めて難しかった。
本発明は上記に鑑みてなされたものであり、ＬＥＤを搭載したプリント基板を備えた可動盤面部品と、遊技盤側に固定された支持部材との間に跨って給電用のハーネスを配線する場合に、余長を設けることなくハーネスに対して加わるテンションを解消して経時的なダメージが加わらないようにした可動盤面部品、遊技盤、及び遊技機を提供することを目的としている。
【課題を解決するための手段】
【０００５】
上記目的を達成するため、請求項１の発明に係る可動盤面部品は、表示部材と、該表示部材に一体化され且つＬＥＤを搭載したプリント基板と、該表示部材から遊技盤面と略平行に延びる前部材、及び該前部材から後方へ屈曲した後部材を有したアーム部と、前記アーム部に沿って配線されることにより前記プリント基板上の配線パターンと電気的に接続されたハーネスと、を備え、前記アーム部の後部材を中心として回動自在な可動盤面部品において、前記前部材に沿って配線された前記ハーネス部分は、該前部材の前壁から浮動しないように保持され、前記アーム部の後部材は後端面が開口した中空体であり、該後部材の内径は、その内壁と前記ハーネスとの間に十分なギャップが形成されるように大径であり、且つハーネスと後部材内壁とは非固定であることを特徴とする。
請求項２の発明に係る可動盤面部品は、請求項１において、前記後部材の後端開口部から外部へ延びるハーネス部分は略９０度湾曲して引き出されて固定側の支持部材により支持されていることを特徴とする。
請求項３の発明に係る可動盤面部品は、請求項１、又は２において、前記後部材の前部内壁には前記前部材から導入されたハーネスをガイドするスロープが形成されていることを特徴とする。
請求項４の発明に係る遊技盤は、請求項１乃至３の何れか一項に記載の可動盤面部品を備えたことを特徴とする。
請求項５の発明に係るパチンコ遊技機は、請求項４に記載の遊技盤を備えたことを特徴とする。
【発明の効果】
【０００６】
本発明によれば、ＬＥＤを搭載したプリント基板を備えた可動盤面部品と、遊技盤側に固定された支持部材との間に跨って給電用のハーネスを配線する場合に、可動盤面部品の前部材内に位置するハーネスを常に可動盤面部品と一体動作するように支持する一方で、可動盤面部品内の後部材内に位置するハーネス後部をフリーな状態に保持しつつ外部へ引き出すように構成したので、配線処理の繁雑化を招く余長を設けることなく、可動盤面部品の動作時にハーネスに対して加わるテンションや捻れを解消して経時的なダメージが加わらないようにすることができる。
【発明を実施するための最良の形態】
【０００７】
以下、本発明を図面に示した実施の形態により詳細に説明する。
図１は、本発明の実施の形態に係るパチンコ遊技機の全体正面図である。
この図に示すパチンコ遊技機１は、矩形形状の枠２を有し、この枠２の窓孔に対して裏側から遊技盤３が着脱可能に取り付けられている。
遊技盤３には、遊技領域の外周縁に沿って前方に突出されたガイドレールが設けられている。ガイドレールは発射装置から発射された遊技球を遊技領域の上部に案内したり、アウト球を回収するアウト口１８に案内したりする外レールＲ１及び内レールＲ２により構成される。
遊技盤３の前面側には、図示しないガラス枠が開閉可能に取り付けられている。また遊技盤３の下部には遊技球を貯留する受け皿部４と、受け皿部４内の遊技球を発射する発射レバー５等が設けられている。また、受け皿部４の上部には、例えば遊技演出用のチャンスボタンや十字キーなどの操作部６や、遊技球の購入ボタンや購入取り消しボタンなどが設けられている。
遊技盤３の略中央に設けた開口部３Ａ内には図柄表示装置９が配置されている。図柄表示装置９は、例えば、液晶表示装置等の液晶表示パネルによって構成され、通常動作状態の時は図示しない特別図柄画像が表示される。また、所謂リーチ状態や特別遊技状態の時はそれぞれの遊技状態であることを示す演出画像等が表示される。
図柄表示装置９の下方には、図柄表示装置９の特別図柄を可変表示させるための可変入賞装置１１が設けられている。
【０００８】
また、図柄表示装置９の左側には、遊技盤３の右下部に配置された普通図柄表示装置１０に表示される普通図柄を作動させるためのゲート１２が設けられている。
さらに、可変入賞装置１１の下方には、特別遊技状態の一つである大当り状態のときに開成状態になる開閉扉を有する大入賞口１３が設けられている。
可変入賞装置１１は、図柄表示装置９を可変表示させるための上始動ポケット１４と、左右一対の開閉爪（可動片）を有する電動式チューリップ１７とを備えている。
また遊技盤３には、普通入賞口１６が設けられていると共に、風車１５や多数の遊技釘が突設されている。遊技釘は、遊技球の落下速度を遅くすると共に、落下方向を複雑に変化させて遊技進行上の興趣を高めている。
普通図柄表示装置１０に表示される普通図柄は、１個または複数個の図柄を変動表示可能であり、普通図柄始動口としてのゲート１２が遊技球を検出することを条件に、その図柄が乱数制御等により所定時間可変して停止するようになっている。
普通図柄としては、数字図柄、アルファベット図柄、キャラクター図柄、その他の適宜の遊技図柄が使用される。そして、ゲート１２を遊技球が通過したことを条件に乱数制御により普通図柄が所定態様となった場合に、可変入賞装置１１に設けられた電動式チューリップから成る可動片を所定時間、開成動作するように構成されている。
【０００９】
図柄表示装置９に表示される特別図柄は、停止図柄が予め定められた図柄の組合せ、例えば同一図柄の組合せとなった場合に大当り状態となるように構成されている。また特別図柄は、可変入賞装置１１の上始動ポケット１４、又は電動式チューリップの開成動作により遊技球が誘導される下始動口（図示していない）への遊技球の入賞を検出することを条件に乱数制御等により表示がスクロールする等、所定の変動パターンで所定時間変動（可変）して図柄で停止するようになっている。その際、有効ライン上に２個の停止図柄が同一となった場合に、リーチ状態が発生し、このリーチ状態において、有効ライン上の最後の停止図柄が既に停止している２個の図柄と同一となった場合に大当り状態が発生する。なお、特別図柄としては、数字図柄、アルファベット図柄、キャラクター図柄等が使用可能である。
遊技盤の開口部３Ａの下縁部３Ｂには可動盤面部品としての雪達磨を象った２つのギミック２０が夫々矢印方向へ回動して下縁部３Ｂから開口部３Ａ内に出没するように構成されている。
【００１０】
図２及び図３は雪達磨形状のギミックを支持する機構を示す背面図であり、図４（ａ）及び（ｂ）はギミック及び駆動機構の構成を示す平面図、及び背面図であり、図５（ａ）（ｂ）及び（ｃ）はギミック及び駆動機構の側部縦断面図、起倒状態を示す斜視図、及び退避状態を示す斜視図である。
２つのギミック（可動盤面部品）２０は、ギミック本体２１と、ギミック本体２１を駆動するための駆動機構３０とから構成されており、左右対称となるように配置されている。
ギミック本体２１は、雪達磨の形状を象り且つ遊技盤の前方から視認可能な表示部材２２と、表示部材２２の背面側に一体化され且つＬＥＤ２３ａを搭載したプリント基板２３と、表示部材２２から遊技盤面と略平行に延びる前部材２５、及び前部材２５の端部から後方へ屈曲した後部材２６を有したアーム部２４と、アーム部２４に沿って配線されることによりプリント基板２３上の配線パターン、ＬＥＤと電気的に接続されたハーネス２７と、を有している。
【００１１】
アーム部２４の前部材２５と後部材２６は上面側が開口した中空体である。ハーネス２７がアーム部の前部材２５に沿う部分は前部材の前壁に対して浮動しないように添設されているが、格別固定している訳ではない。必要に応じて前部材２５の開放部側に押え部材２５ａを配置する程度でハーネスの押えには十分である。後部材２６の内径は、その内壁とハーネス２７との間に十分なギャップが形成されるように大径であり、且つハーネス２７と後部材内壁とは非固定である。本実施形態では、前部材２５の内壁下部から後部材２６の底面にかけて下向きに傾斜したスロープ２６ａを設け、このスロープ２６ａに沿ってハーネス２７を後部材２６側へ湾曲（屈曲）させつつ導入している。このスロープ２６ａに沿ってハーネス２７を後部材２６側へガイドすることにより、ギミック２０の回動動作中に、前部材２５と後部材２６に跨って配線されたハーネスが浮動することを更に低減することができる。後部材２６の後端開口から引き出されたハーネスの更に後方側は支持部材４０（遊技盤に固定されている）に沿って横方向へ向けて湾曲（屈曲）配線されている。
駆動機構３０は、後部材２６の後端開口内に挿着されて固定され且つ外周の一部にギヤ部３１ａを有した筒状のギヤ部材（ピニオンギヤ）３１と、ギヤ部材３１のギヤ部３１ａと噛合するギヤ部３２ａを有しモータ３３によって長手方向へ進退するラックギヤ３２と、を有している。図５（ａ）に示すように本例では後部材２６に一体化されたギヤ部材（後部材）３１の外周の一部を軸支部３５によって回転自在に軸支している。
なお、ギヤ部材３１を予め後部材２６と一体化した構成としてもよい。
【００１２】
ハーネス２７は、可動側部材であるギミック本体２１と固定側部材である支持部材４０との間に跨って配線されているため、ハーネス２７へのテンションや捻れによる耐久性の低下、断線が懸念されるが、本発明においてはハーネス前部２７ａを前部材２５内で浮動しないように前部材の前壁内に沿って配線し、且つ後部材２６内ではハーネス後部２７ｂを遊動可能（非テンション状態）に遊嵌しているので、ギミック本体２１が回動する際にギミック本体内のハーネス２７（２７ａ、２７ｂ）は常にギミック本体と一体的に回動し、相対動作することがない。しかも、前部材２５により支持されたハーネス前部２７ａと、後部材２６により遊嵌されたハーネス後部２７ｂとの間も相対動作することがない。
更に、図５（ｂ）（ｃ）に示すように後部材２６内から外部へ延びる湾曲ハーネス部分２７ｃは固定側の支持部材４０へ向けて略９０度湾曲して引き出されている。この湾曲ハーネス部分２７ｃに多少の余裕をもたせることにより格別の余長を設けることなく、後部材２６が回動するのに伴って湾曲ハーネス部分２７ｃが無理なく捻れ変形することが可能となる。
【００１３】
このように本発明によれば、ＬＥＤを搭載したプリント基板を備えたギミック２０（可動盤面部品）と、遊技盤側に固定された支持部材との間に跨って給電用のハーネス２７を配線する場合に、ギミックの前部材２５内に位置するハーネス前部２７ａを常にギミックと一体動作するように支持する一方で、ギミックの後部材２６内に位置するハーネス後部２７ｂをフリーな状態に保持しつつ外部へ引き出すように構成したので、配線処理の繁雑化を招く余長を設けることなく、可動盤面部品の動作時にハーネスに対して加わるテンションや捻れを解消して経時的なダメージが加わらないようにすることができる。
更に、ハーネス後部２７ｂからギミック外部へ延びるハーネス部分を固定側の支持部材４０に配線するに際して、ハーネス２７を略９０度湾曲させて配線したので、可動側のハーネス後部２７ｂと、固定側のハーネス２７ｄとの間で捻れ方向への相対動作が発生したとしても湾曲ハーネス部分２７ｃがこの捻れによるストレスを緩和し、ハーネスへのダメージを解消することができる。
以上のように本発明によれば、ＬＥＤ２３ａを搭載したプリント基板２３を備えたギミック（可動盤面部品）２０と、遊技盤側に固定された支持部材４０との間に跨って給電用のハーネス２７を配線する場合に、ギミックの前部材２５内に位置するハーネス前部２７ａを常にギミックと一体動作するように支持する一方で、ギミック内の後部材２６内に位置するハーネス後部２７ｂをフリーな状態に保持しつつ外部へ引き出すように構成したので、配線処理の繁雑化を招く余長を過大に設けることなく、ギミックの動作時にハーネスに対して加わるテンションや捻れを解消して経時的なダメージが加わらないようにすることができる。
【図面の簡単な説明】
【００１４】
【図１】本発明の実施の形態に係るパチンコ遊技機の全体正面図である。
【図２】雪達磨形状のギミック（退避状態）を支持する機構を示す背面図である。
【図３】雪達磨形状のギミック（起立状態）を支持する機構を示す背面図である。
【図４】（ａ）及び（ｂ）はギミック及び駆動機構の構成を示す平面図、及び背面図である。
【図５】（ａ）（ｂ）及び（ｃ）はギミック及び駆動機構の側部縦断面図、起倒状態を示す斜視図、及び退避状態を示す斜視図である。
【符号の説明】
【００１５】
１…パチンコ遊技機、２…枠、３…遊技盤、３Ａ…開口部、３Ｂ…下縁部、４…皿部、５…発射レバー、６…操作部、１０…普通図柄表示装置、１１…可変入賞装置、１２…ゲート、１３…大入賞口、１４…上始動ポケット、１５…風車、１６…普通入賞口、１７…電動式チューリップ、１８…アウト口、２０…ギミック（可動盤面部品）、２１…ギミック本体、２２…表示部材、２３…プリント基板、２４…アーム部、２５…前部材、２６…後部材、２７…ハーネス、２７ａ…ハーネス前部、２７ｂ…ハーネス後部、２７ｃ…湾曲ハーネス部分、３０…駆動機構、３１…ギヤ部材、３１ａ…ギヤ部、３２…ラックギヤ、３２ａ…ギヤ部、３５…軸支部、４０…支持部材
【図１】
2009195339.tif 000003
【図２】
2009195339.tif 000004
【図３】
2009195339.tif 000005
【図４】
2009195339.tif 000006
【図５】
2009195339.tif 000007